(57)【要約】【課題】電源ケーブルの配線経路が電源配線設計にしたがっているか否かをより容易に検証可能な技術を提供すること。【解決手段】電源系統８０の識別情報、および、電源系統８０により電力が供給されうる装置９０が有する電源ケーブル９１に取り付け可能な電源接続検出装置２０の識別情報の対応関係を記憶する電源系統定義情報記憶部１１と、電力供給が開始された電源系統８０の識別情報を取得する電源系統識別部１２と、電源接続検出装置２０によって電源ケーブル９１に流れる電流が検出されると送信されるステータス情報を受信するステータス情報受信部１３と、ステータス情報の送信元の電源接続検出装置２０の識別情報が、電源系統識別部１２によって取得された電源系統８０の識別情報に対応付けられているか否かを表す電源経路検証情報を出力する電源経路検証情報出力部１４と、を備える。【選択図】      図２
2014096102.tif 000002
【特許請求の範囲】
【請求項１】
電源系統の識別情報、および、前記電源系統により電力が供給されうる装置が有する電源ケーブルに取り付け可能な電源接続検出装置の識別情報の対応関係を記憶する電源系統定義情報記憶部と、
電力供給が開始された電源系統の識別情報を取得する電源系統識別部と、
前記電源接続検出装置によって該電源接続検出装置が取り付けられた電源ケーブルに流れる電流が検出されると送信されるステータス情報を受信するステータス情報受信部と、
前記ステータス情報受信部によって受信されたステータス情報の送信元の前記電源接続検出装置の識別情報が、前記電源系統識別部によって取得された電源系統の識別情報に対応付けられているか否かを表す電源経路検証情報を出力する電源経路検証情報出力部と、
を備えた電源経路検証装置。
【請求項２】
請求項１に記載の電源経路検証装置と通信可能に接続され、
自装置が取り付けられた電源ケーブルに流れる電流を検出する電流検出部と、
自装置の識別情報を記憶する識別情報記憶部と、
前記電流検出部によって前記電源ケーブルに流れる電流が検出されると、前記識別情報を含むステータス情報を前記電源経路検証装置に送信するステータス情報送信部と、
を備えた電源接続検出装置。
【請求項３】
前記電流検出部は、前記電源ケーブルに流れる電流により発生する磁界の強度の変化を検出するセンサにより該電源ケーブルを囲むことによりその電流値を測定可能な電流測定器によって構成され、
前記ステータス情報送信部は、前記電流検出部による測定値が閾値を超えたタイミングで、前記ステータス情報を送信することを特徴とする請求項２に記載の電源接続検出装置。
【請求項４】
請求項１に記載の電源経路検証装置と、
請求項２または請求項３に記載の電源接続検出装置と、
を備えた電源経路検証システム。
【請求項５】
電源系統の識別情報、および、前記電源系統により電力が供給されうる装置が有する電源ケーブルに取り付け可能な電源接続検出装置の識別情報の対応関係を記憶しておき、
電力供給が開始された電源系統の識別情報を取得し、
前記電源接続検出装置によって該電源接続検出装置が取り付けられた電源ケーブルに流れる電流が検出されると送信されるステータス情報を受信し、
前記ステータス情報の送信元の前記電源接続検出装置の識別情報が、前記電力供給が開始された電源系統の識別情報に対応付けられているか否かを表す電源経路検証情報を出力する、電源経路検証方法。
【請求項６】
対象の電源ケーブルに流れる電流を検出すると、
自装置の識別情報を含むステータス情報を、請求項５に記載の電源経路検証方法を実行する装置に対して送信する、電源接続検出方法。
【請求項７】
電源系統の識別情報、および、前記電源系統により電力が供給されうる装置が有する電源ケーブルに取り付け可能な電源接続検出装置の識別情報の対応関係を記憶した電源系統定義情報記憶部を用いて、
電力供給が開始された電源系統の識別情報を取得する電源系統識別ステップと、
前記電源接続検出装置によって該電源接続検出装置が取り付けられた電源ケーブルに流れる電流が検出されると送信されるステータス情報を受信するステータス情報受信ステップと、
前記ステータス情報受信ステップで受信されたステータス情報の送信元の前記電源接続検出装置の識別情報が、前記電源系統識別ステップで取得された電源系統の識別情報に対応付けられているか否かを表す電源経路検証情報を出力する電源経路検証情報出力ステップと、
をコンピュータ装置に実行させるコンピュータ・プログラム。
【請求項８】
対象の電源ケーブルに流れる電流を検出する電流検出ステップと、
自装置の識別情報を含むステータス情報を、請求項７に記載のコンピュータ・プログラムを実行する装置に送信するステータス情報送信ステップと、
をコンピュータ装置に実行させるコンピュータ・プログラム。
【発明の詳細な説明】
【技術分野】
【０００１】
本発明は、電源ケーブルの配線経路を検証する技術に関する。
【背景技術】
【０００２】
昨今、中規模程度以上のコンピュータ装置の大多数は、電源の受電部を冗長化している。そのため、電源配線設計の際には、その冗長性を損なわないように、各電源ケーブルを異なる電源系統に分散接続し電源障害のリスクに備える必要がある。例えば、ラックシステムに多数のこのようなコンピュータ装置が搭載される場合、多数の電源ケーブルが多数の電源系統に接続されることになる。この場合、電源配線設計通りに、多数の装置が電源接続されているかどうかを目視確認することは煩雑である。
【０００３】
このような問題に対応する技術として、バーコード等の識別コードを用いて配線経路を管理する技術が知られている（例えば、特許文献１参照）。この関連技術は、配線ケーブルのコネクタおよび該コネクタの収容先にそれぞれ識別コードを貼り付ける。そして、この関連技術は、バーコードリーダ等の読み取り装置によって各識別コードを読み取り、その対応関係を出力する。
【０００４】
また、このような問題に対応する他の技術として、電源モジュールの識別情報を用いて配線経路を管理する技術が知られている（例えば、特許文献２参照）。この関連技術は、電力供給装置に電源ケーブルを介して接続させたい電源モジュールの識別情報を、あらかじめ記憶しておく。そして、この関連技術は、電力供給装置に接続された電源モジュールの識別情報を取得し、取得した識別情報が、記憶しておいた識別情報に該当しない場合に、誤接続が発生したことを報知する。
【先行技術文献】
【特許文献】
【０００５】
【特許文献１】特開２０００−６９０１６号公報
【特許文献２】特開２０１０−２０４８２２号公報
【発明の概要】
【発明が解決しようとする課題】
【０００６】
しかしながら、特許文献１に記載された技術を用いて電源の配線経路を検証する場合、多数の配線ケーブルの識別コードおよびその接続先となる電力供給装置の識別コードの組み合わせをあらかじめ管理装置に記憶させておく必要がある。電源配線設計にしたがってそのような組み合わせをあらかじめ記憶させておくことは、管理者にとって煩雑な作業である。
【０００７】
また、特許文献２に記載された技術を用いて電源の配線経路を検証する場合、電源モジュールがあらかじめ自身の識別情報を記憶していることが前提となる。また、電源配線設計にしたがって、電力供給装置毎に接続されるべき電源モジュールの識別情報を管理装置にあらかじめ記憶させておくことは、管理者にとって煩雑な作業である。
【０００８】
本発明は、上述の課題を解決するためになされたもので、電源ケーブルの配線経路が電源配線設計にしたがっているか否かをより容易に検証可能な技術を提供することを目的とする。
【課題を解決するための手段】
【０００９】
本発明の電源経路検証装置は、電源系統の識別情報、および、前記電源系統により電力が供給されうる装置が有する電源ケーブルに取り付け可能な電源接続検出装置の識別情報の対応関係を記憶する電源系統定義情報記憶部と、電力供給が開始された電源系統の識別情報を取得する電源系統識別部と、前記電源接続検出装置によって該電源接続検出装置が取り付けられた電源ケーブルに流れる電流が検出されると送信されるステータス情報を受信するステータス情報受信部と、前記ステータス情報受信部によって受信されたステータス情報の送信元の前記電源接続検出装置の識別情報が、前記電源系統識別部によって取得された電源系統の識別情報に対応付けられているか否かを表す電源経路検証情報を出力する電源経路検証情報出力部と、を備える。
【００１０】
また、本発明の電源接続検出装置は、上述の電源経路検証装置と通信可能に接続され、自装置が取り付けられた電源ケーブルに流れる電流を検出する電流検出部と、自装置の識別情報を記憶する識別情報記憶部と、前記電流検出部によって前記電源ケーブルに流れる電流が検出されると、前記識別情報を含むステータス情報を前記電源経路検証装置に送信するステータス情報送信部と、を備える。
【００１１】
また、本発明の電源経路検証システムは、上述の電源経路検証装置と、上述の電源接続検出装置と、を備える。
【００１２】
また、本発明の電源経路検証方法は、電源系統の識別情報、および、前記電源系統により電力が供給されうる装置が有する電源ケーブルに取り付け可能な電源接続検出装置の識別情報の対応関係を記憶しておき、電力供給が開始された電源系統の識別情報を取得し、前記電源接続検出装置によって該電源接続検出装置が取り付けられた電源ケーブルに流れる電流が検出されると送信されるステータス情報を受信し、前記ステータス情報の送信元の前記電源接続検出装置の識別情報が、前記電力供給が開始された電源系統の識別情報に対応付けられているか否かを表す電源経路検証情報を出力する。
【００１３】
また、本発明の電源接続検出方法は、対象の電源ケーブルに流れる電流を検出すると、自装置の識別情報を含むステータス情報を、上述の電源経路検証方法を実行する装置に対して送信する。
【００１４】
また、本発明のコンピュータ・プログラムは、電源系統の識別情報、および、前記電源系統により電力が供給されうる装置が有する電源ケーブルに取り付け可能な電源接続検出装置の識別情報の対応関係を記憶した電源系統定義情報記憶部を用いて、電力供給が開始された電源系統の識別情報を取得する電源系統識別ステップと、前記電源接続検出装置によって該電源接続検出装置が取り付けられた電源ケーブルに流れる電流が検出されると送信されるステータス情報を受信するステータス情報受信ステップと、前記ステータス情報受信ステップで受信されたステータス情報の送信元の前記電源接続検出装置の識別情報が、前記電源系統識別ステップで取得された電源系統の識別情報に対応付けられているか否かを表す電源経路検証情報を出力する電源経路検証情報出力ステップと、をコンピュータ装置に実行させる。
【００１５】
また、本発明の他のコンピュータ・プログラムは、対象の電源ケーブルに流れる電流を検出する電流検出ステップと、自装置の識別情報を含むステータス情報を、上述のコンピュータ・プログラムを実行する装置に送信するステータス情報送信ステップと、をコンピュータ装置に実行させる。
【発明の効果】
【００１６】
本発明は、電源ケーブルの配線経路が電源配線設計にしたがっているか否かをより容易に検証可能な技術を提供することができる。
【図面の簡単な説明】
【００１７】
【図１】本発明の実施の形態としての電源経路検証システムの構成を示すブロック図である。
【図２】本発明の実施の形態としての電源経路検証システムを構成する各装置の機能ブロック図である。
【図３】本発明の実施の形態としての電源経路検証システムの動作を説明するフローチャートである。
【図４】本発明の実施の形態としての電源経路検証システムの具体例における電源ケーブルの配線の一例を示す模式図である。
【図５】本発明の実施の形態としての電源経路検証システムの具体例における電源経路設計の一例を示す図である。
【図６】本発明の実施の形態としての電源経路検証システムの具体例における電源系統定義情報の一例を示す図である。
【図７】本発明の実施の形態としての電源経路検証システムの具体例における電源ケーブルの配線の他の一例を示す模式図である。
【発明を実施するための形態】
【００１８】
以下、本発明の実施の形態について、図面を参照して詳細に説明する。
【００１９】
本発明の実施の形態としての電源経路検証システム１の構成を図１に示す。図１において、電源経路検証システム１は、電源経路検証装置１０と、１つ以上の電源接続検出装置２０とを含む。なお、図１では、実線で囲まれた図形は、本実施の形態としての電源経路検証システム１を構成する装置であり、一点鎖線で囲まれた図形は、本実施の形態としての電源経路検証システム１が検証対象とするシステムの一例である。電源経路検証装置１０および各電源接続検出装置２０は、インターネット、ＬＡＮ（Local Area Network）、公衆回線網、無線通信網またはこれらの組合せ等によって構成されるネットワークを介して互いに通信可能に接続されている。なお、図１には、４つの電源接続検出装置２０を示しているが、本発明の電源経路検証システムに含まれる電源接続検出装置の数を限定するものではない。
【００２０】
また、図１において、電源経路検証システム１は、１つ以上の装置９０の各電源ケーブル９１が、ｎ個（ｎは１以上の整数）の電源系統８０のいずれかに正しく接続されているか否かを検証する。
【００２１】
電源系統８０は、電力の供給および遮断がなされる単位である。例えば、ｎ個の電源系統８０のそれぞれは、電力供給元に接続されたｎ個のブレーカのそれぞれにおいてスイッチがオンにされることにより電力が供給され、オフにされることにより電力が遮断される。なお、図１には、２つの電源系統８０を示しているが、本発明の電源経路検証システムが検証対象とするシステムに電力を供給可能な電源系統の数を限定するものではない。
【００２２】
装置９０は、１つ以上の受電部９２を有し、受電部９２に対して電源ケーブル９１を介して電源系統８０から電力が供給されることにより動作する装置である。装置９０は、複数の受電部９２を有する場合、異なる電源系統８０から受電可能にそれぞれの電源ケーブル９１が配線されていれば、一方の電源系統８０に故障や停電が発生した場合も、他方の電源系統８０から受電して動作を継続可能となっている。なお、図１には、２つずつの受電部９２を有する２つの装置９０を示しているが、本発明の電源経路検証システムが検証対象とするシステムに含まれる装置の数およびその受電部の数を限定するものではない。
【００２３】
電源ケーブル９１は、装置９０が有する受電部９２および電源系統８０間を接続することにより、受電部９２に給電可能なケーブルである。
【００２４】
各電源接続検出装置２０は、各電源ケーブル９１に取り付け可能となっている。例えば、電源接続検出装置２０は、電源ケーブル９１に流れる電流により発生する磁界の強度の変化を検出するセンサで電源ケーブル９１を囲むことにより電流値を測定する電流測定器を含んで構成されていてもよい。この場合、電源接続検出装置２０は、電流測定器のセンサ部分で電源ケーブル９１を囲むよう取り付けられる。このような電流測定器としては、例えば、架線電流計（クランプメータ）がよく知られている。クランプメータは、リング状に構成されたセンサ（クランプ）の環内を通る電線に流れる電流値を測定する。この場合、電源接続検出装置２０は、クランプの環内に対象の電源ケーブル９１を通すよう取り付けられる。なお、クランプメータを実現する電流検出技術、および、クランプメータを電源ケーブル９１に対して電流を測定可能に固定する技術については、各種公知の技術を適用可能である。なお、電源ケーブル９１は、２芯や３芯などのように複数の電線を含んでいる場合がある。このとき、一般的なクランプメータは、複数の電線に流れる電流を測定することができない場合がある。その場合、電源接続検出装置２０は、電源ケーブル９１に取り付けられることによりその電路を分離するアタッチメント（図示せず）に取り付けられてもよい。
【００２５】
また、各電源接続検出装置２０には、対応する電源系統８０が、後述の電源系統定義情報によりあらかじめ定められている。そして、各電源接続検出装置２０は、対応する電源系統８０から給電されるよう定められた受電部９２に接続する電源ケーブル９１に、それぞれ取り付けられる。なお、本実施の形態では、各受電部９２に、どの電源系統８０から給電されるかが、電源経路設計としてあらかじめ定められているものとする。例えば、電源接続検出装置２０は、その電源接続検出装置２０に対応する電源系統８０を表す情報が外部より視認可能となっていてもよい。具体的には、各電源接続検出装置２０には、対応する電源系統８０を表す文字列が書き込まれたラベルが付されていてもよい。この場合、管理者は、電源経路設計にしたがって、各電源ケーブル９１に、その電源ケーブル９１の接続先の受電部９２に給電するよう定められた電源系統８０のラベルが付された電源接続検出装置２０を取り付けるようにすればよい。
【００２６】
次に、電源経路検証システム１を構成する各装置の機能ブロック構成を図２に示す。
【００２７】
図２において、電源経路検証装置１０は、電源系統定義情報記憶部１１と、電源系統識別部１２と、ステータス情報受信部１３と、電源経路検証情報出力部１４とを含む。ここで、電源経路検証装置１０は、ＣＰＵ（Central Processing Unit）と、ＲＡＭ（Random Access Memory）と、ＲＯＭ（Read Only Memory）と、ハードディスク等の記憶装置と、ネットワークインタフェースと、液晶ディスプレイ等の表示装置とを備えたコンピュータ装置によって構成可能である。この場合、電源系統定義情報記憶部１１は、記憶装置によって構成される。また、電源系統識別部１２およびステータス情報受信部１３は、ネットワークインタフェースと、ＲＯＭおよび記憶装置に記憶されたコンピュータ・プログラムおよび各種データをＲＡＭに読み込んで実行するＣＰＵとによって構成される。また、電源経路検証情報出力部１４は、表示装置と、ＲＯＭおよび記憶装置に記憶されたコンピュータ・プログラムおよび各種データをＲＡＭに読み込んで実行するＣＰＵとによって構成される。なお、電源経路検証装置１０およびその各機能ブロックのハードウェア構成は、上述の構成に限定されない。
【００２８】
電源系統定義情報記憶部１１は、電源接続検出装置２０の識別情報および電源系統８０の識別情報を対応付けて記憶している。
【００２９】
電源系統識別部１２は、電力供給が開始された電源系統８０の識別情報を取得する。例えば、電源系統識別部１２は、前述のブレーカがそのオンオフ状態を出力する機能を有している場合、そのようなブレーカと通信可能に接続されることにより、オフ状態からオン状態に変化した電源系統８０の識別情報を取得可能である。具体的には、電源系統識別部１２は、オフ状態からオン状態への変化に応じてブレーカから送信される電源系統８０の識別情報を受信してもよい。あるいは、電源系統識別部１２は、各ブレーカに対応する電源系統８０の識別情報をあらかじめ記憶しておくことにより、オフ状態からオン状態への変化に応じて送信されるオン情報の送信元のブレーカに対応付けて記憶しておいた電源系統８０の識別情報を取得してもよい。あるいは、電源系統識別部１２は、入力装置を介して、電力供給が開始された電源系統８０の識別情報を取得してもよい。
【００３０】
ステータス情報受信部１３は、電源接続検出装置２０から送信されるステータス情報を受信する。ここで、ステータス情報とは、電流が流れ始めた電源ケーブル９１に取り付けられた電源接続検出装置２０の識別情報を含む情報である。ステータス情報受信部１３は、任意の電源系統８０における電力供給の開始に応じて、対象の電源ケーブル９１に流れる電流を検出した電源接続検出装置２０から、ステータス情報を受信することになる。
【００３１】
電源経路検証情報出力部１４は、受信されたステータス情報に含まれる電源接続検出装置２０の識別情報が、電力供給が開始された電源系統８０の識別情報に対応付けられているか否かを表す電源経路検証情報を、電源系統定義情報記憶部１１を参照することにより出力する。もし、ステータス情報に含まれる電源接続検出装置２０の識別情報が、電力供給が開始された電源系統８０の識別情報に対応付けられていないものであった場合、その電源接続検出装置２０が取り付けられた電源ケーブル９１の接続が、電源経路設計にしたがっていないことになる。また、ステータス情報に含まれる電源接続検出装置２０の識別情報が、電力供給が開始された電源系統８０の識別情報に対応付けられているものであった場合、その電源接続検出装置２０が取り付けられた電源ケーブル９１の接続は、電源経路設計にしたがっていることになる。例えば、電源経路検証情報出力部１４は、電源経路設計にしたがっていない電源接続検出装置２０の識別情報を、電源経路検証情報に含めるようにして、適切でない接続を報知するようにしてもよい。
【００３２】
また、図２において、電源接続検出装置２０は、電流検出部２１と、識別情報記憶部２２と、ステータス情報送信部２３とを含む。ここで、電源接続検出装置２０は、ＣＰＵおよびメモリを含むマイクロコンピュータと、クランプメータ等の電流測定器と、無線通信モジュール等のネットワークインタフェースとによって構成可能である。この場合、電流検出部２１は、電流測定器と、メモリに記憶されたコンピュータ・プログラムおよび各種データを読み込んで実行するＣＰＵとによって構成される。また、識別情報記憶部２２は、メモリによって構成される。また、ステータス情報送信部２３は、ネットワークインタフェースと、メモリに記憶されたコンピュータ・プログラムおよび各種データを読み込んで実行するＣＰＵとによって構成される。
【００３３】
電流検出部２１は、電源ケーブル９１に流れる電流を検出する。
【００３４】
識別情報記憶部２２は、自装置の識別情報を記憶する。
【００３５】
ステータス情報送信部２３は、電流検出部２１によって電源ケーブル９１に流れる電流が検出されると、識別情報を含むステータス情報を電源経路検証装置１０に送信する。ここで、ステータス情報送信部２３は、電源ケーブル９１に電流が流れていない状態から流れている状態に変化したことを検出し、変化の検出に応じてステータス情報を送信すればよい。例えば、電流検出部２１は、クランプメータにより測定された電流値が閾値を超えたタイミングで、ステータス情報を送信してもよい。
【００３６】
以上のように構成された電源経路検証システム１の動作について、図３を参照して説明する。なお、図３において、左図は電源接続検出装置２０の動作を示し、右図は電源経路検証装置１０の動作を示し、左右を結ぶ破線の矢印はデータの流れを示すものとする。また、電源経路検証システム１は、ある１つの電源系統８０に電力供給が開始されたことにより、以下の動作を開始するものとする。
【００３７】
まず、電源経路検証装置１０の電源系統識別部１２は、電力供給が開始された電源系統８０の識別情報を取得する（ステップＳ１）。
【００３８】
次に、電源接続検出装置２０の電流検出部２１は、電流が流れ出したことを検出する（ステップＳ２）。ここで、電流が流れ出したことを検出する電源接続検出装置２０は、電力供給が開始された電源系統８０に接続する各電源ケーブル９１に取り付けられた電源接続検出装置２０である。
【００３９】
次に、ステップＳ２で電流が流れ出したことを検出した電源接続検出装置２０のステータス情報送信部２３は、自装置の識別情報を含むステータス情報を、電源経路検証装置１０に送信する（ステップＳ３）。
【００４０】
次に、電源経路検証装置１０のステータス情報受信部１３は、ステップＳ３でステータス情報を送信した各電源接続検出装置２０から、ステータス情報を受信する（ステップＳ４）。
【００４１】
次に、電源経路検証情報出力部１４は、ステップＳ４で受信された各ステータス情報に含まれる電源接続検出装置２０の識別情報と、ステップＳ１で取得された電源系統８０の識別情報とが対応付けられているか否かを、電源系統定義情報記憶部１１を参照することにより判断する（ステップＳ５）。
【００４２】
ここで、ステップＳ４で受信された全てのステータス情報に含まれる電源接続検出装置２０の識別情報が、ステップＳ１で取得された電源系統８０の識別情報に対応付けられている場合、電源経路検証情報出力部１４は、適切な電源接続であることを表す電源経路検証情報を出力する（ステップＳ６）。
【００４３】
一方、ステップＳ４で受信されたステータス情報のうち、該ステータス情報に含まれる電源接続検出装置２０の識別情報が、ステップＳ１で取得された電源系統８０の識別情報に対応付けられていないものがある場合、電源経路検証情報出力部１４は、適切でない電源接続がなされていることを表す電源経路検証情報を出力する（ステップＳ７）。
【００４４】
以上で、電源経路検証システム１は動作を終了する。
【００４５】
なお、電源経路検証システム１は、各電源系統８０について、順次上記の動作を実行する。
【００４６】
次に、本発明の実施の形態の具体的な動作例について、図４を参照して説明する。図４において、電源経路検証システム１は、コンピュータ装置９０１ａ〜９０１ｄおよびコンセントボックス９０２ａ〜９０２ｄが有する電源ケーブル９１について、４つの電源系統８０Ａ〜８０Ｄに対する配線経路を検証する。なお、以下では、コンピュータ装置９０１ａ〜９０１ｄを、総称してコンピュータ装置９０１とも記載する。また、コンセントボックス９０２ａ〜９０２ｄを、総称してコンセントボックス９０２とも記載する。また、電源系統８０Ａ〜８０Ｄを、総称して電源系統８０とも記載する。また、コンピュータ装置９０１およびコンセントボックス９０２は、本実施の形態における装置９０に相当する。
【００４７】
図４において、ブレーカ７０ａ〜７０ｄ（以下、総称してブレーカ７０とも記載する）は、商用電源等の電力供給元（図示せず）から供給される電力を遮断（オフ）または遮断を解除（オン）することにより、それぞれ電源系統８０Ａ〜８０Ｄとして電力を供給する。
【００４８】
各コンセントボックス９０２は、図示しない受電部および１つ以上のコンセントを有している。また、コンセントボックス９０２ａ〜９０２ｄは、それぞれ電源ケーブル９１ｅ〜９１ｈを介してブレーカ７０ａ〜７０ｄに接続されている。また、各コンセントボックス９０２のコンセントは、他の装置９０の電源ケーブル９１のプラグを着脱可能となっている。そして、コンセントボックス９０２は、接続されているブレーカ７０がオンにされると、ブレーカ７０から受電部に供給される電力を、各コンセントに接続された電源ケーブル９１を介してその先の装置９０に供給する。
【００４９】
また、コンピュータ装置９０１は、それぞれ２つの受電部９２を有し、２つの電源ケーブル９１に接続されている。例えば、コンピュータ装置９０１ａは、受電部９２ａ１および９２ａ２を有し、電源ケーブル９１ａ１および９１ａ２に接続されている。他のコンピュータ装置９０１ｂ〜９０１ｄについても、略同様である。
【００５０】
また、この例では、図５に示すように電源経路設計が定められている。例えば、図５の１〜２行目は、コンピュータ装置９０１ａの受電部９２ａ１は、電源系統８０Ａから電力供給を受けるよう定められ、受電部９２ａ２は、電源系統８０Ｂから電力供給を受けるよう定められていることを表している。
【００５１】
図４では、図５に示した電源経路設計にしたがって、１２個の電源接続検出装置２０が各電源ケーブル９１に取り付けられている。１２個の電源接続検出装置２０は、それぞれ識別情報として、Ａ０〜Ａ２、Ｂ０〜Ｂ２、Ｃ０〜Ｃ２、Ｄ０〜Ｄ２のいずれかを、その識別情報記憶部２２に記憶しているものとする。なお、図４において、電源接続検出装置２０を表す図形の内部に記された文字列は、その電源接続検出装置２０の識別情報を示している。以下では、識別情報がＸＸの電源接続検出装置２０を、電源接続検出装置２０（ＸＸ）とも記載する。
【００５２】
また、この例では、電源経路検証装置１０の電源系統定義情報記憶部１１には、図６に示すような情報が記憶されている。例えば、図６の１行目は、電源接続検出装置２０の識別情報「Ａ０」は、電源系統８０の識別情報「Ａ」に対応付けられていることを表している。例えば、電源接続検出装置２０に、対応する電源系統８０の識別情報が印刷されたラベル等が付されている場合、管理者は、図５の電源経路設計にしたがって、図４に示すように各電源ケーブル９１に、該当する電源接続検出装置２０を取り付け可能である。
【００５３】
このとき、ブレーカ７０ａをオンにしたときの電源経路検証システム１の動作について説明する。
【００５４】
まず、電源経路検証装置１０の電源系統識別部１２は、ブレーカ７０ａがオンにされたことにより電力供給が開始された電源系統８０Ａの識別情報「Ａ」を取得する（ステップＳ１）。
【００５５】
このとき、電源系統８０Ａに電力供給が開始されたことにより、電源ケーブル９１ｅ、９１ａ１、９１ｂ１に電流が流れる。
【００５６】
そこで、電源ケーブル９１ｅ、９１ａ１、９１ｂ１にそれぞれ取り付けられた電源接続検出装置２０（Ａ０）、２０（Ａ１）、２０（Ａ２）が、それぞれ電流検出部２１によって電流を検出する（ステップＳ２）。
【００５７】
そして、電源接続検出装置２０（Ａ０）、２０（Ａ１）、２０（Ａ２）のステータス情報送信部２３は、自装置の識別情報をそれぞれ含むステータス情報を、電源経路検証装置１０に対して送信する（ステップＳ３）。
【００５８】
次に、電源経路検証装置１０のステータス情報受信部１３は、電源接続検出装置２０（Ａ０）、２０（Ａ１）、２０（Ａ２）からそれぞれ送信されたステータス情報を受信する（ステップＳ４）。
【００５９】
次に、電源経路検証装置１０の電源経路検証情報出力部１４は、図６の電源系統定義情報を参照することにより、受信された３つのステータス情報にそれぞれ含まれる電源接続検出装置２０の識別情報「Ａ０」、「Ａ１」、「Ａ２」が、電源系統識別部１２によって取得された電源系統８０の識別情報「Ａ」に対応付けられていると判断する（ステップＳ５でＹｅｓ）。
【００６０】
そこで、電源経路検証情報出力部１４は、電源系統８０Ａに対する電源経路が適切であることを表す電源経路検証情報を出力する（ステップＳ６）。
【００６１】
以上の動作を、ブレーカ７０ｂ〜７０ｄが順次オンにされる度に、電源経路検証システム１は実行する。
【００６２】
次に、同様のケースにおいて、図７のように各コンピュータ装置９０１の電源ケーブル９１が配線されている場合について考える。なお、電源経路設計および電源系統定義情報は、図５および図６に示したものと同様であるとする。
【００６３】
この場合、まず、ブレーカ７０ａがオンにされたときの電源経路検証システム１の動作について説明する。
【００６４】
ここでは、まず、電源経路検証装置１０の電源系統識別部１２は、ブレーカ７０ａがオンにされたことにより電力供給が開始された電源系統８０Ａの識別情報「Ａ」を取得する（ステップＳ１）。
【００６５】
このとき、電源系統８０Ａに電力供給が開始されたことにより、電源ケーブル９１ｅ、９１ａ１、９１ａ２に電流が流れる。
【００６６】
そこで、電源ケーブル９１ｅ、９１ａ１、９１ａ２にそれぞれ取り付けられた電源接続検出装置２０（Ａ０）、２０（Ａ１）、２０（Ｂ１）が、それぞれ電流検出部２１によって電流を検出する（ステップＳ２）。
【００６７】
そして、電源接続検出装置２０（Ａ０）、２０（Ａ１）、２０（Ｂ１）のステータス情報送信部２３は、自装置の識別情報をそれぞれ含むステータス情報を、電源経路検証装置１０に対して送信する（ステップＳ３）。
【００６８】
次に、電源経路検証装置１０のステータス情報受信部１３は、電源接続検出装置２０（Ａ０）、２０（Ａ１）、２０（Ｂ１）からそれぞれ送信されたステータス情報を受信する（ステップＳ４）。
【００６９】
次に、電源経路検証装置１０の電源経路検証情報出力部１４は、図６の電源系統定義情報を参照することにより、受信された３つのステータス情報にそれぞれ含まれる電源接続検出装置２０の識別情報のうち「Ｂ１」は、電力供給が開始された電源系統８０の識別情報「Ａ」に対応付けられていないと判断する（ステップＳ５でＮｏ）。
【００７０】
そこで、電源経路検証情報出力部１４は、電源系統８０Ａに対する電源経路として、電源接続検出装置２０（Ｂ１）が取り付けられた電源ケーブル９１ａ２の配線が適切でないことを表す電源経路検証情報を出力する（ステップＳ７）。
【００７１】
次に、ブレーカ７０ｂがオンにされた場合、電源経路検証システム１は、略同様に動作することにより、電源系統８０Ｂに対する電源経路が適切であることを表す電源経路検証情報を出力する。
【００７２】
次に、ブレーカ７０ｃがオンにされた場合、電源経路検証システム１は、略同様に動作することにより、電源接続検出装置２０（Ａ２）が取り付けられた電源ケーブル９１ｂ１の配線が適切でないことを表す電源経路検証情報を出力する。
【００７３】
次に、ブレーカ７０ｄがオンにされた場合、電源経路検証システム１は、略同様に動作することにより、電源系統８０Ｄに対する電源経路が適切であることを表す電源経路検証情報を出力する。
【００７４】
以上で、本実施の形態の具体例の動作の説明を終了する。
【００７５】
次に、本発明の実施の形態の効果について述べる。本発明の実施の形態としての電源経路検証システムは、電源ケーブルの配線経路が電源配線設計にしたがっているか否かをより容易に検証することができる。
【００７６】
その理由は、電源経路検証装置が、電源系統定義情報記憶部に、電源系統の識別情報と電源接続検出装置の識別情報との対応関係を記憶しておき、電源系統識別部によって、電力供給が開始された電源系統の識別情報を取得し、電源接続検出装置が、電力供給の開始により電流が流れ出した電源ケーブルの電流を電流検出部によって検出すると、自装置の識別情報を含むステータス情報をステータス送信部によって電源経路検証装置に送信するからである。そして、電源経路検証装置が、ステータス受信部によって受信されたステータス情報に含まれる電源接続検出装置の識別情報と、電源系統識別部によって取得された電源系統の識別情報とが対応付けられているか否かを表す電源経路検証情報を出力するからである。
【００７７】
これにより、管理者は、電源経路設計にしたがって、各装置の電源ケーブルに、各電源ケーブルの接続先として定められた電源系統に対応付けられた電源接続検出装置をとりつけておき、各電源系統に対する電力供給を開始する操作を行うだけで、電源経路が電源経路設計にしたがっているか否かを検証可能となる。また、装置の新設や廃棄等により電源経路設計が更新された場合であっても、管理者は、電源接続検出装置の新たな取り付けまたは取り付け先の変更を行うだけでよく、電源系統定義情報を構築しなおす必要はない。また、電源ケーブルに貼り付ける管理用のバーコード等を新規に用意または貼り替える必要もない。したがって、本実施の形態は、電源経路の検証における管理者の煩雑な作業をより低減している。
【００７８】
なお、本発明の実施の形態において、電源経路検証装置が、クランプメータを用いて電源ケーブルに流れる電流を検出する例を中心に説明した。その他、本実施の形態における電源経路検証装置は、測定対象の電源ケーブルを切断することなく電流が流れているか否かを検出可能なその他の公知の技術によって実現されていてもよい。
【００７９】
また、本発明の実施の形態において、電源経路検証装置のステータス情報送信部は、電流検出部により検出される電流値が閾値を超えたタイミングで、ステータス情報を送信する例を中心に説明した。この他、ステータス情報送信部は、自装置が取り付けられた電源ケーブルに電流が流れていない状態から流れている状態に変化したことを検出可能な他の技術を用いて、変化の検出に応じてステータス情報を送信してもよい。
【００８０】
また、上述した本発明の実施の形態において、フローチャートを参照して説明した電源経路検証装置および電源接続検出装置の動作を、本発明のコンピュータ・プログラムとしてコンピュータ装置の記憶装置（記憶媒体）に格納しておき、係るコンピュータ・プログラムを当該ＣＰＵが読み出して実行するようにしてもよい。そして、このような場合において、本発明は、係るコンピュータ・プログラムのコードあるいは記憶媒体によって構成される。
【００８１】
また、本発明は、上述した実施の形態に限定されず、様々な態様で実施されることが可能である。
【符号の説明】
【００８２】
１    電源経路検証システム
１０    電源経路検証装置
１１    電源系統定義情報記憶部
１２    電源系統識別部
１３    ステータス情報受信部
１４    電源経路検証情報出力部
２０    電源接続検出装置
２１    電流検出部
２２    識別情報記憶部
２３    ステータス情報送信部
７０    ブレーカ
８０    電源系統
９０    装置
９１    電源ケーブル
９２    受電部
９０１    コンピュータ装置
９０２    コンセントボックス
【図１】
2014096102.tif 000003
【図２】
2014096102.tif 000004
【図３】
2014096102.tif 000005
【図４】
2014096102.tif 000006
【図５】
2014096102.tif 000007
【図６】
2014096102.tif 000008
【図７】
2014096102.tif 000009